(57)【要約】　　　（修正有）【課題】使用する機械の必要性により、コイルバネのバネ係数を調整し、バネ係数というのはバネの単位が必要な荷重に変形することできるコイルバネを調整するケースを提供する。【解決手段】主に外殻１０、主外殻２０、回転体３０により構成し、使用する機械設備が必要とする異なるバネ係数を生産し、コイルバネ４０の一方の片端は主外殻底部の中心にある固定台２０１へ固定設置し、他方の片端は外殻内部へ置き、回転体の外径または内径に設ける複数の抵抗体とコイルバネ４０の素線は接触し、回転体を回転させ、コイルバネが受ける圧縮力または引張応力に有効なバネ巻数を調整し、コイルバネのバネ係数を調整するケースであり、コイルバネの使用性および経済効果を増進する。【選択図】図１
0003098362.tif 000002
【実用新案登録請求の範囲】
【請求項１】
一種のコイルバネを調整するケースであって、該ケースは、外殻、主外殻回転体、および、コイルバネとからなり、
該主外殻の底部の中心に固定台を設けてコイルバネの一方の片端を該固定台へ固定設置し、
前記回転体は空洞であって、外殻、主外殻の二つの外殻間に介在し、外殻の外径は回転体の内径より小さく設け回転体の外径は主外殻の内径より小さくするか、または、外殻の内径は回転体の外内径より大きく設け回転体の内径は主外殻の外径より大きくし、
前記回転体の内径に設ける複数の抵抗体はコイルバネの素線と接触し、コイルバネのバネ係数を調整することを特徴とするコイルバネを調整するケース。
【請求項２】
前記外殻の外径または内径は回転体の内径または外径の接合する所へ設けて対応する螺旋と回転して噛合い、回転体が回転する時、コイルバネは引張応力または圧縮力を受け同方向へ移動し、
同時にコイルバネの巻数を調整し、コイルバネのバネ係数を調整することを特徴とする請求項１記載のコイルバネを調整するケース。
【請求項３】
前記外殻の外径または内径および回転体の内径または外径の接合する所へ設けて対応する螺旋は回転して噛合い、回転体が作動する時、コイルバネは引張応力または圧縮力を受け同方向へ移動し、同時にコイルバネの有効巻数を調整し、コイルバネのバネ係数を調整し、
外殻、主外殻の中心線上へ滑り軸を設けることができ、一方の片端は主外殻の固定台へ固定し、他方の片端はオイルシールは外殻の底部中心に設ける軸穴と相互接合し、コイルバネは軸方向だけに変形することを特徴とする請求項１記載のコイルバネを調整するケース。
【請求項４】
前記外殻の外径または内径と回転体の内径または外径の接合する箇所へ、軸受けを設けることにより相互接合することができ、前記回転体が回転すると、コイルバネはバネ設置空間から出て、主外殻を推し動かし、外形が長くなることを特徴とする請求項１記載のコイルバネを調整するケース。
【請求項５】
前記外殻の外径または内径と回転体の内径または外径の接合する所へ、また、軸受けを設けることにより相互接合することも可能であり、前記外殻、主外殻の中心線へ滑り軸を設け、一方の片端は主外殻の固定台へ固定し、他方の別の片端はオイルシールと外殻の底部中心に設ける軸穴と相互接合し、前記コイルバネは軸方向だけへ変形することを特徴とする請求項１記載のコイルバネを調整するケース。
【請求項６】
前記回転体の内径は外殻の外径より大きく、主外殻へコイルバネおよび滑り軸を固定し、コイルバネを覆わないかまたは部分的に覆い、該外殻の外径と回転体の内径の接合する所へ設けて対応する螺旋は回転して噛合い、外殻、主外殻の中心線へ滑り軸を設け、一方の片端は、主外殻の固定台へ固定し、他方の片端はオイルシールと外殻底部の中心に設ける軸穴と相互接合し、コイルバネは軸方向だけへ変形することを特徴とする請求項１記載のコイルバネを調整するケース。
【請求項７】
前記回転体の内径は外殻の外径より大きく、主外殻はコイルバネおよび滑り軸を固定し、コイルバネを覆わないかまたは部分的に覆い、該外殻の外径と回転体の内径の接合する所へまた、軸受けを設けることも可能であり、相互接合し、並びに外殻、主外殻の中心線へ滑り軸を設け、一方の片端は主外殻の固定台へ固定し、他方の片端はオイルシールと外殻の底部中心へ設ける軸穴と相互接合し、コイルバネは軸方向だけへ変形することを特徴とする請求項１記載のコイルバネを調整するケース。
【請求項８】
一種のコイルバネを調整するケースであって、該ケースは、外殻、主外殻回転体、および、コイルバネとからなり、該外殻、主外殻において、主外殻の内径は外殻の外径より大きく、または主外殻の外径は外殻の内径より小さくするとともに、主外殻の底部中心へ固定台を設けてコイルバネの一方の片端を固定設置し、外殻の底部中心に前記回転体のための穴を設け、
前記回転体は空洞であり、その一端を外殻の穴に設け、その外径の適正な箇所へ設けられた複数の抵抗体とコイルバネの素線は接触し、コイルバネのバネ係数を調整することを特徴とするコイルバネを調整するケース。
【請求項９】
前記外殻底部中心へ設ける穴の内径と回転体の外径の接合する所へ設けて対応する螺旋は、回転して噛合い、回転体が回転するとき、コイルバネは引張応力または圧縮力を受けて同方向へ移動し、同時にコイルバネの有効巻数を調整し、コイルバネのバネ係数を調整することを特徴とする請求項８記載のコイルバネを調整するケース。
【請求項１０】
前記外殻底部の中心に設ける穴の内径と回転体の外径の接合する所へ設けて対応する螺旋は回転して噛合い、回転体内へ滑り軸を置き、滑り軸の一方の片端は主外殻の固定台に固定し、他方の片端は回転体内の片端に設けるオイルシールと相互接合し、コイルバネは軸方向だけへ変形することを特徴とする請求項８記載のコイルバネを調整するケース。
【請求項１１】
前記外殻底部中心の穴の内径と回転体の外径の接合するところへ軸受けを設けることにより相互接合することも可能であり、回転体が回転する時、コイルバネはバネ設置空間内から出て、外殻を推し動かし、外形は長くなることを特徴とする請求項８記載のコイルバネを調整するケース。
【請求項１２】
前記外殻底部中心の穴の内径と回転体の外径の接合する所へ軸受けを設けることにより相互接合することも可能であり、回転体へ滑り軸を設け、
滑り軸の一方の片端は主外殻の固定台へ固定設置し、他方の片端は回転体の片端に設けるオイルシールと相互接合し、コイルバネは軸方向へだけ変形することを特徴とする請求項８記載のコイルバネを調整するケース。
【請求項１３】
前記主外殻はコイルバネおよび滑り軸を固定するがコイルバネを覆わず、外殻は回転体と接合するがコイルバネを覆わず、該外殻底部中心の穴の内径と回転体の外径の接合する所へ設けて対応する螺旋により回転して噛合い、回転体へ滑り軸を置き、
該滑り軸の一方の片端は主外殻の固定台へ固定設置し、他方の片端と回転体の片端に設けるオイルシールと相互接合し、コイルバネは軸方向だけへ変形することを特徴とする請求項８記載のコイルバネを調整するケース。
【請求項１４】
前記主外殻はコイルバネおよび滑り軸を固定するがコイルバネを覆わず、外殻は回転体と接合するがコイルバネを覆わないか、または、部分的に覆い、該外殻底部中心の穴の内径と回転体外径の接合する所へまた軸受けを設けることにより相互接合し、回転体へ滑り軸を設け、
該滑り軸の一方の片端は主外殻の固定台へ固定設置し、他の片端は回転体内の片端に設けるオイルシールと相互接合し、コイルバネは軸方向だけへ変形することを特徴とする請求項８記載のコイルバネを調整するケース。
【考案の詳細な説明】
【０００１】
【考案の属する技術分野】
本考案は、一種のコイルバネを内包して調整するケースの技術分野に属する。特に、二つのケースおよび回転体へコイルバネを置き、使用する機械の必要性によりコイルバネのバネ係数を変え、必要とする弾性となるコイルバネを調整するケースに係る。
【０００２】
【従来の技術】
従来公知のコイルバネのバネ係数は、製品を製造する時に既に規格が決められており、各種機械の必要とする引張応力または圧縮力は異なり、よって各種機械それぞれに対応する異なるコイルバネの規格を必要とする。
【０００３】
【考案が解決しようとする課題】
ところで、相同するコイルバネの規格および単位の変形条件のもと、コイルバネの巻数を減少すると、そのバネ係数は大きくなり、必要とする引張応力および圧縮力は大きくなり、コイルバネの巻数を増加すると、バネ係数は小さくなり、必要とする引張応力および圧縮力は小さくなり、公知のコイルバネの規格は機械設備の必要とするデザインであり、バネ係数を自由に調整することはできない。本考案は、上記公知構造の欠点を解決するため、その課題は、コイルバネが圧縮力または引張応力を受けるのに有効巻数を調整することにより、コイルバネのバネ係数を調整し、バネ係数は単位変形量により異なる引張応力または圧縮力を受け、機械の必要とするコイルバネのバネ係数を調整し、必要とする弾性にすることができるコイルバネを調整するケースの提供するものである。
【０００４】
【課題を解決するための手段】
上記課題を解決するため、請求項１の考案は、一種のコイルバネを調整するケースであって、該ケースは、外殻、主外殻回転体、および、コイルバネとからなり、該主外殻の底部の中心に固定台を設けてコイルバネの一方の片端を該固定台へ固定設置し、前記回転体は空洞であって、外殻、主外殻の二つの外殻間に介在し、外殻の外径は回転体の内径より小さく設け回転体の外径は主外殻の内径より小さくするか、または、外殻の内径は回転体の外内径より大きく設け回転体の内径は主外殻の外径より大きくし、前記回転体の内径に設ける複数の抵抗体はコイルバネの素線と接触し、コイルバネのバネ係数を調整することを特徴とするコイルバネを調整するケースである。
請求項２の考案は、前記外殻の外径または内径は回転体の内径または外径の接合する所へ設けて対応する螺旋と回転して噛合い、回転体が回転する時、コイルバネは引張応力または圧縮力を受け同方向へ移動し、同時にコイルバネの巻数を調整し、コイルバネのバネ係数を調整することを特徴とする請求項１記載のコイルバネを調整するケースである。
請求項３の考案は、前記外殻の外径または内径および回転体の内径または外径の接合する所へ設けて対応する螺旋は回転して噛合い、回転体が作動する時、コイルバネは引張応力または圧縮力を受け同方向へ移動し、同時にコイルバネの有効巻数を調整し、コイルバネのバネ係数を調整し、外殻、主外殻の中心線上へ滑り軸を設けることができ、一方の片端は主外殻の固定台へ固定し、他方の片端はオイルシールと外殻の底部中心に設ける軸穴と相互接合し、コイルバネは軸方向だけに変形することを特徴とする請求項１記載のコイルバネを調整するケースである。
請求項４の考案は、前記外殻の外径または内径と回転体の内径または外径の接合する箇所へ、軸受けを設けることにより相互接合することができ、前記回転体が回転すると、コイルバネはバネ設置空間から出て、主外殻を推し動かし、外形が長くなることを特徴とする請求項１記載のコイルバネを調整するケースである。
請求項５の考案は、前記外殻の外径または内径と回転体の内径または外径の接合する所へ、また、軸受けを設けることにより相互接合することも可能であり、前記外殻、主外殻の中心線へ滑り軸を設け、一方の片端は主外殻の固定台へ固定し、他方の別の片端はオイルシールと外殻の底部中心に設ける軸穴と相互接合し、前記コイルバネは軸方向だけへ変形すること特徴とする請求項１記載のコイルバネを調整するケースである。
請求項６の考案は、前記回転体の内径は外殻の外径より大きく、主外殻へコイルバネおよび滑り軸を固定し、コイルバネを覆わないかまたは部分的に覆い、該外殻の外径と回転体の内径の接合する所へ設けて対応する螺旋は回転して噛合い、外殻、主外殻の中心線へ滑り軸を設け、一方の片端は、主外殻の固定台へ固定し、他方の片端はオイルシールと外殻底部の中心に設ける軸穴と相互接合し、コイルバネは軸方向だけへ変形することを特徴とする請求項１記載のコイルバネを調整するケースである。
請求項７の考案は、前記回転体の内径は外殻の外径より大きく、主外殻はコイルバネおよび滑り軸を固定し、コイルバネを覆わないかまたは部分的に覆い、該外殻の外径と回転体の内径の接合する所へまた、軸受けを設けることも可能であり、相互接合し、並びに外殻、主外殻の中心線へ滑り軸を設け、一方の片端は主外殻の固定台へ固定し、他方の片端はオイルシールと外殻の底部中心へ設ける軸穴は相互接合し、コイルバネは軸方向だけへ変形することを特徴とする請求項１記載のコイルバネを調整するケースである。
【０００５】
請求項８の考案は、一種のコイルバネを調整するケースであって、該ケースは、外殻、主外殻回転体、および、コイルバネとからなり、該外殻、主外殻において、主外殻の内径は外殻の外径より大きく、または主外殻の外径は外殻の内径より小さくするとともに、主外殻の底部中心へ固定台を設けてコイルバネの一方の片端を固定設置し、外殻の底部中心に前記回転体のための穴を設け、前記回転体は空洞であり、その一端を外殻の穴に設け、その外径の適正な箇所へ設けられた複数の抵抗体とコイルバネの素線は接触し、コイルバネのバネ係数を調整することを特徴とするコイルバネを調整するケースである。
請求項９の考案は、前記外殻底部中心へ設ける穴の内径と回転体の外径の接合する所へ設けて対応する螺旋は、回転して噛合い、回転体が回転するとき、コイルバネは引張応力または圧縮力を受けて同方向へ移動し、同時にコイルバネの有効巻数を調整し、コイルバネのバネ係数を調整することを特徴とする請求項８記載のコイルバネを調整するケースである。
請求項１０の考案は、前記外殻底部の中心に設ける穴の内径と回転体の外径の接合する所へ設ける対応すて螺旋は回転して噛合い、回転体内へ滑り軸を置き、滑り軸の一方の片端は主外殻の固定台に固定し、他方の片端は回転体内の片端に設けるオイルシールと相互接合し、コイルバネは軸方向だけへ変形することを特徴とする請求項８記載のコイルバネを調整するケースである。
請求項１１の考案は、前記外殻底部中心の穴の内径と回転体の外径の接合するところへ軸受けを設けることにより相互接合することも可能であり、回転体が回転する時、コイルバネはバネ設置空間内から出て、外殻を推し動かし、外形は長くなることを特徴とする請求項８記載のコイルバネを調整するケースである。
請求項１２の考案は、前記外殻底部中心の穴の内径と回転体の外径の接合する所へ軸受けを設けることにより相互接合することも可能であり、回転体へ滑り軸を設け、滑り軸の一方の片端は主外殻の固定台へ固定設置し、他方の片端は回転体の片端に設けるオイルシールと相互接合し、コイルバネは軸方向へだけ変形することを特徴とする請求項８記載のコイルバネを調整するケースである。
請求項１３の考案は、前記主外殻はコイルバネおよび滑り軸を固定するがコイルバネを覆わず、外殻は回転体と接合するがコイルバネを覆わず、該外殻底部中心の穴の内径と回転体の外径の接合する所へ設けて対応する螺旋により回転して噛合い、回転体へ滑り軸を置き、該滑り軸の一方の片端は主外殻の固定台へ固定設置し、他方の片端と回転体の片端に設けるオイルシールは相互接合し、コイルバネは軸方向だけへ変形することを特徴とする請求項８記載のコイルバネを調整するケースである。
請求項１４の考案は、前記主外殻はコイルバネおよび滑り軸を固定するがコイルバネを覆わず、外殻は回転体と接合するがコイルバネを覆わないか、または、部分的に覆い、該外殻底部中心の穴の内径と回転体外径の接合する所へまた軸受けを設けることにより相互接合し、回転体へ滑り軸を設け、
該滑り軸の一方の片端は主外殻の固定台へ固定設置し、他の片端は回転体内の片端に設けるオイルシールと相互接合し、コイルバネは軸方向だけへ変形することを特徴とする請求項８記載のコイルバネを調整するケースである。
【０００６】
すなわち、上記各考案は、コイルバネを調整するケースにおいて、コイルバネを内包する主に外殻、主外殻および回転体により構成し、コイルバネの片端は主外殻底部中心にある固定台へ固定設置し、別の片端は外殻内部へ置き、回転体の外径または内径の適正な所へ設ける複数の抵抗体とコイルバネの素線が接触し、回転体が回転すると、コイルバネが圧縮力または引張応力を受けるのに有効巻数を調整し、コイルバネのバネ係数を調整して、本件考案の目的を達成する。
【０００７】
【考案の実施の形態】
本考案の好適な実施例を図面に沿って説明する。
本実施例のコイルバネを調整するケースは、図１〜図４に示すように、外殻１０、主外殻２０、回転体３０、および、コイルバネ４０により構成されていて、機械設備の必要性により、機械設備毎の異なるバネ係数を産出することができる。
更に、該主外殻２０の底部中心へ固定台２０１を設け、回転体３０は空洞であり、外殻１０、主外殻２０間を介在し、その内径の適正な所へ複数の抵抗体３０１を設け、図１、図３に示すように、該外殻１０の外径は回転体３０の内径より小さく、回転体３０の外径は主外殻２０の内径より小さくしているが、逆にまた、図２、図４に示すように、外殻１０の内径は回転体３０の外径より大きく、回転体３０の内径は主外殻２０の外径より大きく設計することも可能である。そして、これらのケースは、外殻１０の外径または内径は回転体３０の内径または外径の接合する所に設けて対応する螺旋５０と回転して噛合い、コイルバネ４０の一方の片端は、主外殻２０の底部中心の固定台２０１へ固定設置し、他方の片端は、外殻１０内部へ置き、コイルバネ４０の素線４０１は回転体３０の内径の適正な所にある複数の抵抗体３０１と緊密に接触し、コイルバネ４０が引張応力または圧縮力を受ける時、主外殻２０と回転体３０に摩擦力は発生しない構成となっている。
【０００８】
また、外殻１０の外径または内径と回転体３０の内径または外径は対応する螺旋５０により回転して噛合い、該回転体３０が螺旋５０に沿って回転する時、回転体３０はコイルバネ４０の圧縮力または引張応力を受けて移動し、
回転体３０が回転する時、その内径にある複数の抵抗体３０１を伴ってコイルバネ４０の素線４０１の通り道と素線４０１は接触を保持し、コイルバネ４０の有効巻数を調整する。
【０００９】
外殻１０と回転体３０の外径または内径のピッチとコイルバネ４０のピッチは同じであるが、回転体３０は回転する毎にコイルバネ４０のピッチを一つずつ移動し、コイルバネ４０のバネ巻数を一巻づつ調整し、コイルバネ４０のバネ係数を調整する。
【００１０】
更に、本考案の実施例は、外殻１０、主外殻２０の中心線上へ滑り軸６０を設けることも可能であるが、滑り軸の一方の片端は、主外殻２０の固定台２０１へ固定し、滑り軸６０とコイルバネ４０は共に主外殻２０の底部中心にある固定台２０１へ固定し、他方の片端は、オイルシールまたは同等の作用を具有する部品と外殻１０の底部中心に設けた軸孔とは相互接合する。
この場合、コイルバネ４０が力を受ける時、外殻１０は固定し、コイルバネを調整するケースは変形し、主外殻２０は滑り軸６０を駆使して移動し、コイルバネ４０は軸方向だけへ変形する。
【００１１】
また、本考案の別の実施例は、図５〜図８に示すように、外殻１０の外径または内径と回転体３０の内径または外径が接合する所へ設ける軸受け７０または同等の作用を具有する部品は相互接合することも可能であり、回転体３０が回転する時、回転体３０の内径にある複数の抵抗体３０１はバネ設置空間４０２内にあるコイルバネ４０を出し、主外殻２０を推し動かし、バネの有効巻数は増加し、同時にコイルバネ４０を調整するケースの整体も長くなる。
反対に、回転体３０が回転する時、回転体３０の内径にある複数の抵抗体３０１は主外殻２０にあるコイルバネ４０をバネ設置空間４０２へ回収し、バネの有効巻数は減少し、同時にコイルバネ４０を調整するケースの整体も短くなる。
【００１２】
本考案の実施例は、外殻１０、主外殻２０の中心線へ滑り軸６０を設けることも可能であり、その一方の片端は、コイルバネ４０の片端と共に主外殻２０の底部中心にある固定台２０１へ固定し、他方の片端は、オイルシール６０１または同等の作用を具有する部品と外殻１０の底部中心に設ける軸穴とは相互接合し、コイルバネ４０が力を受ける時、外殻１０は固定し、コイルバネを調整するケースは変形し、主外殻２０は滑り軸６０を移動し、コイルバネ４０は軸方向だけへ変形となる。
【００１３】
本考案の更にまた別の実施例は、図９、１０に示すように、回転体３０の外径は外殻１０の内径より小さく、主外殻２０へコイルバネ４０および滑り軸６０を固定し、コイルバネ４０を覆わないか、または、部分的に覆い、該外殻１０の内径と回転体３０の外径の接合する所へ設けて対応する螺旋５０は回転して噛合う、または軸受け７０または同等の作用を具有する部品を設けることにより相互接合する、外殻１０、主外殻２０の中心線上に滑り軸６０を設け、その片端とコイルバネ４０の片端は共に主外殻２０の固定台２０１へ固定し、別の片端はオイルシール６０１または同等の作用を具有する部品と外殻１０の底部中心に設ける軸穴とは相互接合し、コイルバネ４０は軸方向だけへ変形する。
【００１４】
本考案の更にまた別の実施例は、図１１、１２に示すように、回転体３０の内径は外殻１０の外径より大きく、主外殻２０へコイルバネ４０および滑り軸６０を固定し、コイルバネ４０を覆わないか、または、部分的に覆い、該外殻１０の外径と回転体３０の内径の接合する所へ設ける対応する螺旋５０は回転して噛合う、または軸受け７０または同等の作用を具有する部品を設け、相互接合となる、外殻１０、主外殻２０の中心線上に滑り軸６０を設け、その片端とコイルバネ４０の片端は共に主外殻２０の固定台２０１へ固定し、他方の片端はオイルシール６０１または同等の作用を具有する部品と外殻１０の底部中心に設ける軸穴とは相互接合し、コイルバネ４０は軸方向だけへ変形する。
【００１５】
本考案の実施例は、上記の構造による組合せ以外に、下記の異なる構造による組合せを有する。
図１３乃至図１６に示すように、外殻１０、主外殻２０および回転体３０により構成し、該主外殻２０の内径は外殻１０の外径より大きい、または主外殻２０の外径は外殻１０の内径より小さい、該主外殻２０の底部中心に固定台２０１を設け、コイルバネ４０の一方の片端を固定し、他方の片端は外殻１０の内部へ置き、外殻１０の底部中心へ穴を設け、回転体３０を置き、該回転体３０は空洞であり、その外径の適正な所へ複数の抵抗体３０１とコイルバネ４０の素線が接触するように設け、コイルバネ４０のバネ係数を調整する。
【００１６】
外殻１０の底部中心にある穴の内径は回転体３０の外径の接合する所へ設けて対応する螺旋５０と回転して噛合い、コイルバネ３０が引張応力または圧縮力を受ける時、主外殻２０と外殻１０は摩擦力を発生しない。
外殻１０の底部中心にある穴の内径は回転体３０の外径の接合する所と対応する螺旋５０により、回転して噛合う、その回転体３０に沿う螺旋５０が回転すると、回転体３０はコイルバネ４０が受ける圧縮力または引張応力の方向へ移動し、回転体３０が回転すると、その外径にある複数の抵抗体３０１を伴ってコイルバネ４０の素線４０１の通り道と素線４０１は接触を保持し、コイルバネ４０の有効巻数を調整する。
【００１７】
外殻１０の底部中心にある穴１０２の内径は回転体３０の外径のピッチとコイルバネ４０のピッチとは相等し、回転体３０が一巻動く毎にコイルバネ４０のピッチを一つ移動し、コイルバネ４０のバネ巻数を一巻調整し、コイルバネ４０のバネ係数を調整することを達成する。
【００１８】
更に、本考案は、回転体３０へ滑り軸６０を置くことも可能であり、滑り軸６０の一方の片端は、主外殻２０の固定台２０１へ固定し、他方の片端は、回転体３０内の片端に設けるオイルシール３０１または同等の作用を具有する部品と相互接合し、コイルバネは軸方向だけへ変形する。
【００１９】
本考案の更にまた別の実施例は、図１７乃至図２０に示すように、外殻１０底部中心の穴の内径と回転体３０の外径の接合する所へ設けて軸受け７０または同等の作用を具有する部品は相互接合することも可能であり、回転体３０が回転する時、コイルバネ４０はバネ設置空間４０２内より出し、主外殻２０を推し進め、外形は長くなる。
【００２０】
また、回転体３０内へ滑り軸６０を置き、滑り軸６０の一方の片端は、主外殻２０の固定台２０１へ固定し、他方の片端は、回転体３０の片端に設けるオイルシール３０２または相似する作用を具有する部品と相互接合し、コイルバネは軸方向だけへ変形する。
【００２１】
本考案の上記実施例は、更に図２１、２２に示すように、主外殻２０はコイルバネ４０および滑り軸６０を固定することも可能であり、コイルバネ４０を覆わないまたは部分的に覆い、外殻１０は回転体３０と接合し、コイルバネ４０を覆わないか、または、部分的に覆う。
【００２２】
該外殻１０の底部の中心に設ける穴の内径と回転体３０の外径の接合する所へ設けて対応する螺旋５０は回転して噛合う、または軸受けまたは相似する作用を具有する部品は相互接合し、回転体３０へ滑り軸６０を置き、滑り軸６０の一方の片端は、主外殻２０の固定台２２へ固定し、他方の片端は、回転体３０内の片端へ設けるオイルシール３０２または同等の作用を備える部品と相互接合し、コイルバネは軸方向だけへ変形する。
【００２３】
本考案の更にまた別の実施例は、図２３、２４に示すように、外殻１０および回転体３０の引張応力を利用して、該外殻１０の内径は回転体３０の外径より大きく、または外殻１０の外径は回転体３０の内径より小さく設けることが可能である。
コイルバネ４０の一方の片端は、フックに固定設置し、他方の片端は、外殻１０の底部に固定し、コイルバネ４０はバネ設置空間４０２内で圧縮し、回転体３０が回転する時、コイルバネ４０はバネ設置空間４０２内で圧縮する。
【００２４】
【考案の効果】
上記のように、本考案によれば、使用する機械の必要性により、それぞれの機械設備に対応して、コイルバネのバネ係数を変え、必要とする弾性となるようにコイルバネを調整することができ、コイルバネの使用範囲が拡大し、経済効果を増進するという効果が得られる。
【図面の簡単な説明】
【図１】本考案の実施例（一）における側面および側断面図である。
【図２】本考案の別の実施例（二）おける側面および側断面図である。
【図３】本考案の更に別の実施例（三）おける側面および側断面図である。
【図４】本考案の更に別の実施例（四）おける側面および側断面図である。
【図５】本考案の更に別の実施例（五）おける側面および側断面図である。
【図６】本考案の更に別の実施例（六）おける側面および側断面図である。
【図７】本考案の更に別の実施例（七）おける側面および側断面図である。
【図８】本考案の更に別の実施例（八）おける側面および側断面図である。
【図９】本考案の更に別の実施例（九）おける側面および側断面図である。
【図１０】本考案の更に別の実施例（十）おける側面および側断面図である。
【図１１】本考案の更に別の実施例（十一）おける側面および側断面図である。
【図１２】本考案の更に別の実施例（十二）おける側面および側断面図である。
【図１３】本考案の更に別の実施例（十三）おける側面および側断面図である。
【図１４】本考案の更に別の実施例（十四）おける側面および側断面図である。
【図１５】本考案の更に別の実施例（十五）おける側面および側断面図である。
【図１６】本考案の更に別の実施例（十六）おける側面および側断面図である。
【図１７】本考案の更に別の実施例（十七）おける側面および側断面図である。
【図１８】本考案の更に別の実施例（十八）おける側面および側断面図である。
【図１９】本考案の更に別の実施例（十九）おける側面および側断面図である。
【図２０】本考案の更に別の実施例（二十）おける側面および側断面図である。
【図２１】本考案の更に別の実施例（二十一）おける側面および側断面図である。
【図２２】本考案の更に別の実施例（二十二）おける側面および側断面図である。
【図２３】本考案の更に別の実施例（二十三）おける側面および側断面図である。
【図２４】本考案の更に別の実施例（二十四）おける側面および側断面図である。
【符号の説明】
１０　　外殻
２０　　主外殻
２０１　固定台
３０　　回転体
３０１　抵抗体
３０２　オイルシール（油で密封する）
４０　　コイルバネ
４０１　素線
４０２　バネ設置空間
５０　　螺旋（ＳＣＲＥＷ　ＴＨＲＥＡＤ）
６０　　滑り軸
６０１　オイルシール（油で密封する）
７０　　軸受け
【図１】
0003098362.tif 000003
【図２】
0003098362.tif 000004
【図３】
0003098362.tif 000005
【図４】
0003098362.tif 000006
【図５】
0003098362.tif 000007
【図６】
0003098362.tif 000008
【図７】
0003098362.tif 000009
【図８】
0003098362.tif 000010
【図９】
0003098362.tif 000011
【図１０】
0003098362.tif 000012
【図１１】
0003098362.tif 000013
【図１２】
0003098362.tif 000014
【図１３】
0003098362.tif 000015
【図１４】
0003098362.tif 000016
【図１５】
0003098362.tif 000017
【図１６】
0003098362.tif 000018
【図１７】
0003098362.tif 000019
【図１８】
0003098362.tif 000020
【図１９】
0003098362.tif 000021
【図２０】
0003098362.tif 000022
【図２１】
0003098362.tif 000023
【図２２】
0003098362.tif 000024
【図２３】
0003098362.tif 000025
【図２４】
0003098362.tif 000026